【手続補正書】
【提出日】令和2年7月9日(2020.7.9)
【手続補正１】
【補正対象書類名】明細書
【補正対象項目名】０００９
【補正方法】変更
【補正の内容】
【０００９】
前記課題を解決するために、本発明に係る反力発生装置は、弾性変形可能な材料で中空に形成された弾性中空体と、前記弾性中空体の外表面に突出して前記弾性中空体の弾性により少なくとも第１方向及び前記第１方向とは異なる第２方向に傾動可能な自由先端を有する突起部と、を備え、前記弾性中空体の物理的寸法及び材料特性の少なくとも一方が、前記突起部が外力を受けていない中立位置にあるときの前記自由先端から前記弾性中空体の底部に向かう仮想中心線に対して非対称であり、前記突起部が外力を受けて前記中立位置から前記第1の方向に傾くことで生じる第１反力と、前記突起部が外力を受けて前記中立位置から前記第2の方向に傾くことで生じる第２反力とが前記仮想中心線に対して非対称であることを特徴としている。
【手続補正２】
【補正対象書類名】特許請求の範囲
【補正対象項目名】全文
【補正方法】変更
【補正の内容】
【特許請求の範囲】
【請求項１】
弾性変形可能な材料で中空に形成された弾性中空体と、
前記弾性中空体の外表面に突出して前記弾性中空体の弾性により少なくとも第１方向及び前記第１方向とは異なる第２方向に傾動可能な自由先端を有する突起部と、
を備え、
前記弾性中空体の物理的寸法及び材料特性の少なくとも一方が、前記突起部が外力を受けていない中立位置にあるときの前記自由先端から前記弾性中空体の底部に向かう仮想中心線に対して非対称であり、前記突起部が外力を受けて前記中立位置から前記第1の方向に傾くことで生じる第１反力と、前記突起部が外力を受けて前記中立位置から前記第2の方向に傾くことで生じる第２反力とが前記仮想中心線に対して非対称である、反力発生装置。
【請求項２】
前記弾性中空体は、前記仮想中心線に対して前記第１方向にある第１部分と前記仮想中心線に対して前記第２方向にある第２部分とが互いに異なる形状となるように形成されているか、あるいは、前記第１部分と前記第２部分とが互いに異なる材質で形成されている、請求項１に記載の反力発生装置。
【請求項３】
前記弾性中空体は、前記第１部分と、前記第２部分とで、その前記形状である肉厚、外観形状、内部形状及び前記材質である材料、密度、のうち少なくともいずれか一つが異なるように形成されている、請求項２に記載の反力発生装置。
【請求項４】
前記突起部が前記第１方向への第１の力の大きさの外力を受けて前記中立位置から前記第1方向に傾くことで生じる前記第１反力と、前記突起部が前記第２方向への前記第１の力の大きさの外力を受けて前記中立位置から前記第２方向に傾くことで生じる前記第２反力とが前記仮想中心線に対して非対称である、請求項２又は請求項３に記載の反力発生装置。
【請求項５】
前記弾性中空体は、前記突起部の傾きによる移動量と反力との関係が、前記突起部が前記第１方向に傾いた場合と、前記突起部が前記第２方向に傾いた場合とで異なるように、前記弾性中空体における前記第１部分と前記第２部分とで、形状及び材質のうち少なくとも一方が異なるように形成されている、請求項２から請求項４のいずれか一項に記載の反力発生装置。
【請求項６】
前記弾性中空体は、前記第１方向への外力が前記突起部に加わった場合及び前記第２方向への外力が前記突起部に加わった場合のうち少なくともいずれか一方の場合に、前記突起部の変位量と前記弾性中空体の反力との関係が単純増加とならないように形成されている、請求項２から請求項５のいずれか一項に記載の反力発生装置。
【請求項７】
前記弾性中空体は、初期状態において凸状に湾曲するドーム形状に形成されており、
前記弾性中空体は、前記第１方向への外力が前記突起部に加わった場合及び前記第２方向への外力が前記突起部に加わった場合のうち少なくともいずれか一方の場合に、前記突起部の変位量が所定量となった時点で、前記弾性中空体における前記第１部分及び前記第２部分のうち少なくともいずれか一方が、初期状態における凸状の湾曲とは逆方向に屈曲するように形成されている、請求項２から請求項６のいずれか一項に記載の反力発生装置。
【請求項８】
前記弾性中空体は、前記第２方向への外力が前記突起部に加わった場合には前記突起部の変位量と前記弾性中空体の反力との関係が単純増加とならず、前記第２方向への外力が前記突起部に加わった場合には前記突起部の変位量と前記弾性中空体の反力との関係が単純増加となるように形成されている、請求項２から請求項７のいずれか一項に記載の反力発生装置。
【請求項９】
前記弾性中空体は、前記第２方向への外力が前記突起部に加わった場合には前記突起部の変位量と前記弾性中空体の反力との関係が単純増加とならず、前記第２方向への外力が前記突起部に加わった場合には前記突起部の変位量と前記弾性中空体の反力との関係が単純増加となり、かつ、前記第２方向への外力が前記突起部に加わった場合における前記弾性中空体の反力が前記第１方向への外力が前記突起部に加わった場合における前記弾性中空体の反力よりも小さくなるように形成されている、請求項２から請求項８のいずれか一項に記載の反力発生装置。
【請求項１０】
前記弾性中空体は、前記突起部に加わる外力により、前記突起部が前記第１方向及び前記第２方向を含む３つ以上の複数の方向のそれぞれに傾く場合で、前記突起部の傾きによる移動量と反力との関係が異なるように、前記弾性中空体における前記３つ以上の複数の方向にそれぞれ対応する複数の部分で、形状及び材質のうち少なくとも一方が異なるように形成されている、請求項２から請求項９のいずれか一項に記載の反力発生装置。
【請求項１１】
請求項１から請求項１０のいずれか一項に記載の反力発生装置と、
押鍵時及び離鍵時に揺動する複数の鍵と、
前記鍵の動きに伴って移動する操作子と、
を有し、
前記操作子は、押鍵操作に応じて前記突起部を前記第１方向に押圧し、離鍵操作に応じて前記突起部を前記第２方向に押圧するような位置に配置される電子鍵盤楽器。
【請求項１２】
前記操作子は、前記押鍵操作に応じて前記突起部を前記第１方向に押圧する際、ある時点で前記突起部を乗り越えた状態となり、この状態からの離鍵操作に応じて前記突起部を前記第２方向に押圧し、ある時点で前記突起部を乗り越えた状態となるように位置及び移動量が設定される請求項１１に記載の電子鍵盤楽器。
【請求項１３】
押鍵時及び離鍵時に揺動する複数の鍵と、
前記鍵の動きに伴って移動する操作子と、
弾性変形可能な材料により初期状態において凸状に湾曲する中空のドーム形状に形成された弾性中空体と、前記弾性中空体の外表面に突出する突起部と、を有する反力発生装置と、
を備え、
前記突起部の自由端から前記弾性中空体に向かう方向を第１方向とした場合、押鍵操作に応じて前記鍵が移動した際に、前記第１方向とは異なる第２方向から前記操作子が前記突起部を押圧することで前記突起部が第１位置側に傾くような位置に前記操作子及び前記反力発生装置を配置し、
前記押鍵操作による前記操作子の変位量が所定量となった時点で、前記弾性中空体における前記第１位置側の部分が、初期状態における凸状の湾曲とは逆方向に屈曲するように形成されている電子鍵盤楽器。
【請求項１４】
前記弾性中空体は、前記第１位置側の部分と、前記第２位置側の部分とで、その前記形状である肉厚、外観形状、内部形状及び前記材質である材料、密度、のうち少なくともいずれか一つが異なるように形成されている請求項１３に記載の電子鍵盤楽器。
【請求項１５】
前記弾性中空体は、前記突起部の傾きによる移動量と反力との関係が、前記突起部が前記第１位置側に傾いた場合と、前記突起部が前記第２位置側に傾いた場合とで異なるように、前記弾性中空体における前記第１位置側の部分と前記第２位置側の部分とで、形状及び材質のうち少なくとも一方が異なるように形成されている請求項１３又は請求項１４に記載の電子鍵盤楽器。
【請求項１６】
前記弾性中空体は、前記第２方向から前記操作子が前記突起部に作用した場合及び前記第２方向から前記操作子が前記突起部に作用した場合のうち少なくともいずれか一方の場合に、前記操作子の変位量と前記弾性中空体の反力との関係が単純増加とならないように形成されている請求項１３から請求項１５のいずれか一項に記載の電子鍵盤楽器。
【請求項１７】
前記弾性中空体は、初期状態において凸状に湾曲するドーム形状に形成されており、
前記弾性中空体は、前記第２方向から前記操作子が前記突起部に作用した場合及び前記第２方向から前記操作子が前記突起部に作用した場合のうち少なくともいずれか一方の場合に、前記操作子の変位量が所定量となった時点で、前記弾性中空体における前記第１位置側の部分及び前記第２位置側の部分のうち少なくともいずれか一方が、初期状態における凸状の湾曲とは逆方向に屈曲するように形成されている請求項１３から請求項１６のいずれか一項に記載の電子鍵盤楽器。
【請求項１８】
前記弾性中空体は、前記第１方向とは異なる方向であって、前記第２方向及び前記第３方向を含む３つ以上の複数の方向のそれぞれから前記操作子が前記突起部に作用した場合で、前記突起部の傾きによる移動量と反力との関係が異なるように、前記弾性中空体における前記３つ以上の複数の方向にそれぞれ対応する複数の部分で、形状及び材質のうち少なくとも一方が異なるように形成されている請求項１３から請求項１７のいずれか一項に記載の電子鍵盤楽器。